(57)【要約】      （修正有）【課題】簡易な構成によってより多彩な外観性を得るとともに、通風性や開放感を備えた丸竹パネルユニットを提供する。【解決手段】長さ方向と直交する貫通孔１２を有する丸竹材１１の前記貫通孔１２にネジ棒２０をスペーサ３０を介して挿通して多数並列せしめ前記丸竹材１１に一定間隔を形成してパネル体Ｐとしたことを特徴とする。前記丸竹材１１の各々には前記スペーサ３０が配設されている。また、前記丸竹材１１が前記スペーサ３０を介在されることなく複数本並設されている部分を形成することもできる。【選択図】図１
0003145547.tif 000002
【実用新案登録請求の範囲】
【請求項１】
長さ方向と直交する貫通孔を有する丸竹材の前記貫通孔にネジ棒をスペーサを介して挿通して多数並列せしめ前記丸竹材に一定間隔を形成してパネル体としたことを特徴とする丸竹パネルユニット。
【請求項２】
前記丸竹材の各々に前記スペーサが配設されている請求項１に記載の丸竹パネルユニット。
【請求項３】
前記丸竹材が前記スペーサを介在されることなく複数本並設されている部分を有する請求項１に記載の丸竹パネルユニット。
【請求項４】
前記丸竹材の一部が長さ方向に分断されたものである請求項１ないし３のいずれか１項に記載の丸竹パネルユニット。
【請求項５】
前記ネジ棒の両端にナットが螺着されている請求項１ないし４のいずれか１項に記載の丸竹パネルユニット。
【請求項６】
前記ネジ棒の端部に端部材が配置されて前記ナットによって一体に取付けられている請求項５に記載の丸竹パネルユニット。
【請求項７】
前記丸竹材に地中埋め込み用の中芯材を有する請求項１ないし６のいずれか１項に記載の丸竹パネルユニット。
【考案の詳細な説明】
【技術分野】
【０００１】
本考案は、塀や垣根等の構築用に用いられる丸竹パネルユニットに関する。
【背景技術】
【０００２】
近年、屋外の庭園の塀や垣根、あるいは屋内庭園や廊下等において、天然竹の風合いを有するプラスチック製の人工竹パネル等が多用されている。この種の人工竹パネルは、合成樹脂素材を割竹形状が幅方向に多数連設するようにパネル状に成形してなるもので、形状、色彩等の風合いにおいて天然竹と遜色がないばかりか、パネル状に形成されているので施工が簡単かつ容易でしかも合成樹脂よりなるので腐食、変色等による外観低下が少なく耐久性が高い。
【０００３】
しかるに、従来のこの種竹パネルは、プラスチック材を竹垣の表面形状を型成形によって板状に形成したものであるため平板な面成体の印象が強くなることが避けられず、例えば本来の竹垣のように個別の丸竹材を多数組み込み竹材間に自然な隙間が透過現出されるような立体的風合いを得ることが困難であった。
【０００４】
これに対し、より立体的な外観及び風合いを得ることを目的として、丸竹材を用いて、組付けを簡単かつ容易に行うことができしかも強度を増大させた丸竹パネルユニットが知られている（例えば、特許文献１参照。）。
【０００５】
ところで、このような丸竹パネルユニットでは、庭園や廊下等に設置することによって丸竹材独特の立体的風合いを得ることに留まらず、設置場所に対応させた多様な外観性が求められている。特に、設置場所の通風性を確保したり、設置した際に開放感を醸し出すことができる外観を備えた丸竹パネルユニットが切望されている。
【特許文献１】特開２００２−３５７０２２号公報
【考案の開示】
【考案が解決しようとする課題】
【０００６】
本考案は前記の点に鑑みなされたものであり、簡易な構成によってより多彩な外観性を得るとともに、通風性や開放感を備えた丸竹パネルユニットを提供するものである。
【課題を解決するための手段】
【０００７】
すなわち、請求項１の考案は、長さ方向と直交する貫通孔を有する丸竹材の前記貫通孔にネジ棒をスペーサを介して挿通して多数並列せしめ前記丸竹材に一定間隔を形成してパネル体としたことを特徴とする丸竹パネルユニットに係る。
【０００８】
請求項２の考案は、前記丸竹材の各々に前記スペーサが配設されている請求項１に記載の丸竹パネルユニットに係る。
【０００９】
請求項３の考案は、前記丸竹材が前記スペーサを介在されることなく複数本並設されている部分を有する請求項１に記載の丸竹パネルユニットに係る。
【００１０】
請求項４の考案は、前記丸竹材の一部が長さ方向に分断されたものである請求項１ないし３のいずれか１項に記載の丸竹パネルユニットに係る。
【００１１】
請求項５の考案は、前記ネジ棒の両端にナットが螺着されている請求項１ないし４のいずれか１項に記載の丸竹パネルユニットに係る。
【００１２】
請求項６の考案は、前記ネジ棒の端部に端部材が配置されて前記ナットによって一体に取付けられている請求項５に記載の丸竹パネルユニットに係る。
【００１３】
請求項７の考案は、前記丸竹材に地中埋め込み用の中芯材を有する請求項１ないし６のいずれか１項に記載の丸竹パネルユニットに係る。
【考案の効果】
【００１４】
請求項１の考案に係る丸竹パネルユニットによれば、長さ方向と直交する貫通孔を有する丸竹材の前記貫通孔にネジ棒をスペーサを介して挿通して多数並列せしめ前記丸竹材に一定間隔を形成してパネル体としたため、簡易な構成によって、通風性や開放感を備えた多彩な外観性を得ることができる。
【００１５】
請求項２の考案によれば、請求項１において、前記丸竹材の各々に前記スペーサが配設されているため、極めて容易に十分な開放感や通風性を持たせることができる。
【００１６】
請求項３の考案によれば、請求項１において、前記丸竹材が前記スペーサを介在されることなく複数本並設されている部分を有するため、開放感や通風性を損なうことなくより多彩な外観性を得ることができる。
【００１７】
請求項４の考案によれば、請求項１ないし３において、前記丸竹材の一部が長さ方向に分断されたものであるため、開放感や通風性を損なうことなくより多彩な外観性を得ることができる。
【００１８】
請求項５の考案によれば、請求項１ないし４において、前記ネジ棒の両端にナットが螺着されているため、丸竹材の組み付けを簡単かつ容易に効率よく行うことができる。
【００１９】
請求項６の考案によれば、請求項５において、前記ネジ棒の端部に端部材が配置されて前記ナットによって一体に取付けられているため、極めて簡易な構成によって丸竹パネルユニットの安定性を向上させることができる。
【００２０】
請求項７の考案によれば、請求項１ないし６において、前記丸竹材に地中埋め込み用の中芯材を有するため、丸竹材の強度及び安定性を向上させることができる。
【考案を実施するための最良の形態】
【００２１】
以下添付の図面に従ってこの考案を詳細に説明する。
図１は本考案の第１実施例に係る丸竹パネルユニットの斜視図、図２は図１の丸竹パネルユニットの正面図、図３は図１の丸竹パネルユニットの要部を表す部分拡大斜視図、図４はスペーサを介して並設された丸竹材の要部断面図、図５はスペーサの一例を表す斜視図、図６は丸竹材が複数本並設されている部分を有する丸竹パネルユニットの正面図、図７は丸竹材が複数本並設されている部分を有する丸竹パネルユニットの他の例を表す正面図、図８は丸竹材の一部が長さ方向に分断されている丸竹パネルユニットの正面図、図９は丸竹材の一部が長さ方向に分断されている丸竹パネルユニットの他の例を表す正面図、図１０は図１の丸竹パネルユニットの両端に端部材を配置した例を表す斜視図、図１１は図１０の端部材が柱材である丸竹パネルユニットの要部を表す部分拡大斜視図、図１２は図１０の端部材が柱材及び取付板である丸竹パネルユニットの要部を表す部分拡大斜視図、図１３は中芯材を有する丸竹材の一例を表す部分拡大斜視図、図１４は図１３の要部断面図である。
【００２２】
図１〜図３に示したように、本考案の第１実施例に係る丸竹パネルユニット１０Ａは、長さ方向と直交する貫通孔１２を有する丸竹材１１の前記貫通孔１２にネジ棒２０をスペーサ３０を介して挿通して多数並列せしめ前記丸竹材１１に一定間隔を形成してパネル体Ｐとしたことを特徴とする。図において、符号１１Ｅは多数並列した丸竹材１１のうち両端に配置された丸竹材、１２Ｅは両端の丸竹材１１Ｅの外側に貫通孔１２より大径に形成された貫通孔である。
【００２３】
丸竹材１１は、ＡＥＳ樹脂又はＰＶＣ樹脂もしくはＦＲＰ樹脂、ＰＰ樹脂等の合成樹脂成形品またはアルミ等の金属成形品等よりなり、天然竹の風合いを有する。なお、丸竹材１１としては合成樹脂成形品等に限定するものではなく、天然丸竹を用いることもできる。
【００２４】
丸竹材１１は、定尺（実施例では１８００又は２０００ｍｍ）のものが使用され、貫通孔１２は長さ方向の両端部近傍及び所定間隔位置に複数設けられる。この例では、各丸竹材１１の端部から５０ｍｍの両端位置、約４００ないし５００ｍｍ間隔の中間位置に貫通孔１２がそれぞれ形成されている。貫通孔１２の大きさは、ネジ棒２０がスムーズに挿通できる最小限の大きさとすることが外観上好ましい。
【００２５】
ネジ棒２０は、図１に図示したような両端部にネジ溝を有すればよく、全ネジタイプのものでもよい。また、ネジ棒２０は、両端にナット２５が螺着されていることが好ましい。その際、両端の丸竹材１１Ｅの大径貫通孔１２Ｅからナット２５が挿入されて、丸竹材１１Ｅの内部にてネジ棒２０と螺着される。これにより、丸竹材１１，１１Ｅの組み付けを簡単かつ容易に効率よく行うことができる。
【００２６】
また、図３の拡大図から理解されるように、パネル体Ｐの端部の丸竹材１１Ｅにはナット２５挿入のための大径貫通孔１２Ｅが露出する。そこで、外観上の必要に応じて、この大径貫通孔１２Ｅを隠蔽するために化粧用丸竹材１３を取付けてもよい。この化粧用丸竹材１３としては、図３に図示したようなパネル体Ｐを構成する丸竹材１１と同種同大の丸竹材が好ましく使用されるほか、溝付き丸竹材でもよく、取付は頭部が竹垣用に着色塗装されたスクリュビス１４等によって固着される。
【００２７】
スペーサ３０は、図１〜図４に示すように、両端が開口されてネジ棒２０が挿通可能に構成された中空形状の部材からなる。スペーサ３０の形状は特に限定されるものではなく、例えば、円筒形状や角パイプ形状等が可能である。また、図４に示すように、スペーサ３０の両端面３２，３２を、丸竹材１１の外周形状に対応した円弧状に形成してもよい。このように構成すれば、丸竹材１１の貫通孔１２を覆うことができ、貫通孔１２から見え隠れするネジ棒２０を容易に隠蔽することができる。スペーサ３０の材質としては、一定間隔で並列される各丸竹材１１，１１の横ズレを防止することができる程度の強度を備えたものであれば特に限定するものではなく、例えば、金属やプラスチック等で形成することができる。
【００２８】
図５に示すスペーサ３０Ａは、略円筒形状のスペーサ本体３１に軸方向に沿って切欠部３３を形成した例である。このスペーサ３０Ａでは、組み付けに際して、ネジ棒２０を各丸竹材１１の貫通孔１２挿通させた後に、切欠部３３を介してスペーサ３０Ａをネジ棒２０に嵌着するように構成される。また、このスペーサ３０Ａは、ネジ棒２０に対して嵌着した後に簡単に脱落することを防止するために、切欠部３３の幅をネジ棒２０の直径よりやや小さく形成されている。そのため、スペーサ３０Ａでは、弾性を備えた材質で形成することが好ましく、例えば、ポリ塩化ビニル等で形成することができる。このスペーサ３０Ａを用いることにより、組み付け作業をより効率よく行うことができる。
【００２９】
図１，２に示す第１実施例の丸竹パネルユニット１０Ａは、丸竹材１１の各々にスペーサ３０が配設された例である。この丸竹パネルユニット１０Ａでは、１本ずつの丸竹材１１がスペーサ３０によって一定間隔で並列されるため、極めて容易に十分な開放感や通風性を持たせることができる。
【００３０】
次に、図６〜図９に示す様々なバリエーションの丸竹パネルユニット１０Ｂ，１０Ｃ，１０Ｄ，１０Ｅについて説明する。以下の説明において、同一符号は同一の構成を表すものとして、その説明を省略する。
【００３１】
図６の丸竹パネルユニット１０Ｂは、丸竹材１１がスペーサ３０を介在されることなく複数本並設されている部分４０を有する例である。この丸竹パネルユニット１０Ｂでは、２本の丸竹材１１，１１が並設された部分４１を１単位として、並設部分４１ごとにスペーサ３０が介在されて一定間隔で並列されている。
【００３２】
図７に示す丸竹パネルユニット１０Ｃは、丸竹材１１がスペーサ３０を介在されることなく複数本並設されている部分４０を有する他の例である。この丸竹パネルユニット１０Ｃでは、１本の丸竹材１１と、２本の丸竹材１１，１１が並設された部分４１と、３本の丸竹材１１，１１，１１が並設された部分４２とを有している。また、図示のように、１本の丸竹材１１と各並設部分４１，４２との間に介在されるスペーサ３０として、長さの異なるスペーサ３５，３６を用いてもよい。この実施例では、丸竹材１１の並設本数が多い（３本）部分４２に長いスペーサ３６が配設されている。
【００３３】
丸竹パネルユニット１０Ｂ，１０Ｃのように、丸竹材１１がスペーサ３０を介在されることなく複数本並設されている部分４０を有することにより、開放感や通風性を損なうことなくより多彩な外観性を得ることが可能となる。
【００３４】
図８に示す丸竹パネルユニット１０Ｄは、丸竹材１１の一部が長さ方向に分断５０された例である。この実施例において、分断された丸竹材５０は、丸竹材１１の略中央部分で上下に分断することによって形成された上部側分断丸竹材５１と下部側分断丸竹材５２とからなる。各分断丸竹材５１，５２は、組み付け時の安定性を確保するために、それぞれ少なくとも２か所でネジ棒２０が挿通されるように構成されている。この丸竹パネルユニット１０Ｄでは、１本の丸竹材１１と、１本の上下分断丸竹材５０Ａと、２本の丸竹材１１，１１が並設された部分４１と、２本の上下分断丸竹材５０Ａ，５０Ａを並設した部分４１Ａが、スペーサ３０によって一定間隔で並列されている。
【００３５】
図９に示す丸竹パネルユニット１０Ｅは、丸竹材１１の一部が長さ方向に分断５０された他の例である。この実施例の分断された丸竹材５０は、上部側分断丸竹材５１と下部側分断丸竹材５２とに分断された上下分断丸竹材５０Ａの他、丸竹材１１の上部及び下部がそれぞれ切断された中央分断丸竹材５０Ｂを有する。この丸竹パネルユニット１０Ｅでは、一定間隔で並列された丸竹材１１，１１の間に、３本の上下分断丸竹材５０Ａ，５０Ａ，５０Ａを並設した部分４２Ａまたは３本の中央分断丸竹材５０Ｂ，５０Ｂ，５０Ｂを並設した部分４２Ｂが並列されている。また、並設部分４２Ｂが並列されている丸竹材１１，１１の間の上下のネジ棒２０には、それぞれスペーサ３０が介在される。
【００３６】
丸竹パネルユニット１０Ｄ，１０Ｅのように、丸竹材１１の一部が長さ方向に分断５０されたことにより、開放感や通風性を損なうことなくより多彩な外観性を得ることが可能となる。
【００３７】
次に、丸竹パネルユニット１０Ａを用いて、その施工例について説明する。なお、以下に説明する施工例は、他の丸竹パネルユニット１０Ｂ，１０Ｃ，１０Ｄ，１０Ｅに対しても適用可能である。
【００３８】
図１０に示す施工例では、ネジ棒２０の端部、すなわち、丸竹パネルユニット１０Ａの端部の丸竹材１１Ｅに端部材６０，６０が配置される。端部材６０としては、例えば、図１１に示す柱材６１を用いることができる。この柱材６１は、丸竹パネルユニット１０Ａの端部の丸竹材１１Ｅが嵌合される嵌合部６２を有する。そして、柱材６１，６１が丸竹パネルユニット１０Ａの両端において丸竹材１１Ｅと嵌合されて地面等に立設されることにより、設置時の丸竹パネルユニット１０Ａの垂れ等を防止して安定性を向上させることができる。また、この柱材６１は、前記化粧用丸竹材１３と同様に、端部の丸竹材１１Ｅに形成された大径貫通孔１２Ｅを隠蔽することができる。
【００３９】
さらに、この柱材６１は、図１１に示すように、ネジ棒２０の端部にナット２５によって一体に取付けることが好ましい。実施例では、柱材６１の外側面にナット２５が挿通可能な開口部６３が形成されている。この開口部６３は、嵌合部６２まで到達しない適宜の位置まで形成され、その内部にネジ棒２０がスムーズに挿通できる最小限の大きさの貫通孔（図示せず）を有する。これにより、簡単かつ効率的に柱材６１，６１の組み付けを行うことができ、極めて簡易な構成によって丸竹パネルユニット１０Ａの安定性を向上させることができる。
【００４０】
また、端部材６０の他の例として、図１２に示すように、柱材６１Ａと取付板６５とによって構成することもできる。取付板６５は、柱材６１Ａの嵌合部６２に嵌合可能な断面略コの字型に形成された金属板からなり、背面６６側から挿通されたネジ棒２０を内面６７側でナット２５によって一体に取付けるとともに、取付孔６８を介してスクリュビス６９等によって柱材６１Ａに固着される。この時、取付板６５に挿通されたネジ棒２０の端部は、柱材６１Ａの嵌合部６２に到達しないように構成される。これにより、柱材６１Ａに前記柱材６１のような開口部６３を形成する必要がなく取付けが容易となり、しかもネジ棒２０の端部を効果的に隠蔽することができる。なお、図示しないが、取付板６５をスクリュビス６９等によって柱材６１Ａに固着する際には、上部側と下部側の少なくとも２か所で固着することが好ましい。
【００４１】
さらに、この丸竹パネルユニット１０Ａでは、図１３，１４に示すように、丸竹材１１に地中埋め込み用の中芯材７０を有する構成としてもよい。この中芯材７０は、金属製のパイプ部材や棒状部材等の強度に優れた適宜の部材が用いられる。実施例の中芯材７０は、金属性のパイプ部材である。また、図示のように、中芯材７０は、丸竹材１１の略中央部分に挿通されるため、ネジ棒２０が挿通可能な貫通孔７５を有している。このように、丸竹材１１が中芯材７０を有することにより、丸竹材１１の強度及び安定性が大幅に増大する。なお、この中芯材７０は、必要に応じて適宜の丸竹材１１に配置すればよく、例えば、１本おきに配置される。
【００４２】
なお、本考案の丸竹パネルユニットは、前述の実施例のみに限定されるものではなく、考案の趣旨を逸脱しない範囲において構成の一部を適宜に変更して実施することができる。
【図面の簡単な説明】
【００４３】
【図１】本考案の第１実施例に係る丸竹パネルユニットの斜視図である。
【図２】図１の丸竹パネルユニットの正面図である。
【図３】図１の丸竹パネルユニットの要部を表す部分拡大斜視図である。
【図４】スペーサを介して並設された丸竹材の要部断面図である。
【図５】スペーサの一例を表す斜視図である。
【図６】丸竹材が複数本並設されている部分を有する丸竹パネルユニットの正面図である。
【図７】丸竹材が複数本並設されている部分を有する丸竹パネルユニットの他の例を表す正面図である。
【図８】丸竹材の一部が長さ方向に分断されている丸竹パネルユニットの正面図である。
【図９】丸竹材の一部が長さ方向に分断されている丸竹パネルユニットの他の例を表す正面図である。
【図１０】図１の丸竹パネルユニットの両端に柱材を配置した例を表す斜視図である。
【図１１】図１０の端部材が柱材である丸竹パネルユニットの要部を表す部分拡大斜視である。
【図１２】図１０の端部材が柱材及び取付板である丸竹パネルユニットの要部を表す部分拡大斜視図である。
【図１３】中芯材を有する丸竹材の一例を表す部分拡大斜視図である。
【図１４】図１３の要部断面図である。
【符号の説明】
【００４４】
１０Ａ  丸竹パネルユニット
１１  丸竹材
１２  貫通孔
２０  ネジ棒
３０  スペーサ
Ｐ    パネル体
【図１】
0003145547.tif 000003
【図２】
0003145547.tif 000004
【図３】
0003145547.tif 000005
【図４】
0003145547.tif 000006
【図５】
0003145547.tif 000007
【図６】
0003145547.tif 000008
【図７】
0003145547.tif 000009
【図８】
0003145547.tif 000010
【図９】
0003145547.tif 000011
【図１０】
0003145547.tif 000012
【図１１】
0003145547.tif 000013
【図１２】
0003145547.tif 000014
【図１３】
0003145547.tif 000015
【図１４】
0003145547.tif 000016